【事件の表示】
　特願２００１−　４６４３３「フアンモータの駆動回路」拒絶査定不服審判事件〔平成１４年　８月３０日出願公開、特開２００２−２４７８７５〕について、次のとおり審決する。
【結　論】
　本件審判の請求は、成り立たない。
【理　由】
１．　手続の経緯・本願発明
　本願は、平成１３年２月２２日の出願であって、その請求項１ないし６に係る発明は、特許請求の範囲の請求項１乃至６に記載されたとおりのものと認められるところ、請求項１に係る発明（以下、「本願発明」という。）は次のとおりである。
　「【請求項１】　　電源電圧値を検出し、その値が設定された定格電圧以上になったとき、電源電圧値と定格電圧値の差電圧に比例する電圧を出力する電源電圧検出手段を具備し、該電源電圧検出手段の出力電圧によりファンモータの回転速度を決定する要素信号を自動的に変化させて、電源電圧が所定の値を越えた場合でもほぼ一定回転数となるよう制御可能な構成であること、を特徴とするファンモータの駆動回路。」
　なお、平成１５年２月７日付けの手続補正書に係る手続は、平成１５年４月２４日付けで却下され、これが確定している。
　
２．　引用例記載の発明
　２．１　引用例１
　　これに対して、原査定の拒絶の理由に引用された、本願出願前である昭和６２年３月１６日に頒布の「特開昭６２−５９３１２号公報」（以下「引用例１」という。）には、次の事項が記載されている。
　　(１)　「送風機１４の回転数はバーナモータ６のような制御をかけていないため、各設定燃焼レベルで送風機１４の回転数は電源電圧の変動を直接受け変化する。特に、電源電圧が低下した場合には、該変換部の温度が上昇し、排ガス特性が悪化したり、吹き出し温風温度が高くなったりするという問題があった。」（２頁右上欄２行〜８行）
　
　　（２）　「実施例
　　　以下、その一実施例を第１図〜第５図を用いて説明するが、従来例と同一部分は同一番号を附記して説明は省略し、異なる部分のみを説明すると、１７は電源電圧検出部、１８はこの電源電圧検出部１７からの出力を受けて送風機１４の回転数を補正する回転数補正部で、送風量決定部１３とともに送風機１４の回転数を補正する回転数補正部で、送風量決定部１３とともに送風機１４の回転数制御部１５に出力を供給するようになっている。そして送風量決定部１３、回転数制御部１５、送風機駆動回路１６、電源電圧検出部１７、回転数補正部１８で送風機制御部１９を構成している。なお、前記各部１、３、４、５、７、９、１３、１５、１８はマイクロコンピュータ２０内に設けてある。」（２頁左下欄頁６行〜１９行）
　
　　（３）　「以下前記回転数補正についての構成を第２図を用いて説明していくと、２１は交流電源、２２は降圧トランス、２３は整流用ダイオード、２４は平滑用コンデンサ、２５、２６は分圧用抵抗、２７、２８は基準電圧を作るための分圧用抵抗、２９はオペアンプ、３０はオペアンプにディファレンシャルを持たせるためのフィードバック抵抗、３１、３２はトランジスタ３３をドライブするための抵抗、３４は制限抵抗、３５ａはフォトアイソレータの発光部、３５ｂはフォトアイソレータのフォトトランジスタ、３６は直流電源、３７はフォトアイソレータの発光部３８ａをドライブするためのバッファ、３９は制限抵抗、３８ｂはフォトアイソレータのフォトトランジスタ、４０、４１、４２はサイリスタ４３のゲート電圧を与えるための抵抗、４４は送風機１４をＯＮ、ＯＦＦさせるためのブリッヂダイオード、４５はハイカットフィルター用チョークコイル、４６、４７は回路保護用スナバー回路である。」（２頁左下欄２０行〜右下欄１８行）
　
　　（４）　「まず電源電圧ｖｘが正常時の場合には、・・・回転数補正用演算部１８ａに補正必要なしの信号を与える。」（３頁左上欄１１行〜右上欄５行）
　
　　（５）　「次に電源電圧が第３図の破線に示すように低下した場合、つまり、ｖａが回転数補正基準電圧ｖｂより低くなったときには、オペアンプ２９の出力がＨとなり、トランジスタ３３はＯＮとなる。従って、３５ａ、３５ｂからなるフォトカプラはＯＮ状態となり、回転数補正部１８に回転数補正要求の信号を与える。回転数補正部１８はその信号を受け取ると、正常時の位相角θｘより小さなθｘ’（第４図モータの電圧−回転数の特性に示すように、交流電源電圧がｖｘからｖｘ’に電圧が低下したときに回転数がｎｘからｎ’ｘに低下するような特性の場合に、ｎ’ｘの回転数をｎｘにするのに必要な位相角）になるように補正をかけるようにする。つまり電圧が低下して燃焼状態に悪影響を及ぼすレベルになる以前のあらかじめ設定されたレベルに達すると、もとの回転数にまで補正をかけるようになるのである。」（３頁右上欄１４行〜左下欄１０行）
　
　　（６）　以上によれば、引用例１には、「電源電圧値ｖａを検出し、その値ｖａが設定された回転数補正基準電圧値ｖｂを越えて低くなったとき、回転数補正要求信号を出力する電源電圧検出部と、前記回転数補正要求信号を受けて、送風機の回転数を制御する位相角を、正常時の位相角θｘよりも小さな位相角θｘ’になるように補正して、前記電源電圧値が低下する前の正常時の回転数と同じになるようにする送風機の制御部」の発明（以下「引用発明」という。）が記載されていると認められる。
　
　２．２　引用例２
　　同じく原査定の拒絶の理由に引用された、本願発明の出願の前の平成１０年３月３日に頒布の「特開平１０−６１５８９号公報」（以下「引用例２」という。）には、以下のような記載がある。
　　（１）　「【０００４】
　　　また１７は電源電圧を平滑して常に検出する電源電圧検出部であり、その平滑検出電圧があらかじめ設定された電圧以下になった場合に、回転数を初期の回転数に戻すような補正をかける回転数補正部１８を備え、送風量決定部１３とともに送風機１４の回転数制御部１５に出力を供給するようになっている。
　　　このように、従来の温風暖房機は、電源電圧を平滑して検出し、この平滑電源電圧の変化により送風機１４の回転数補正を行い、電源電圧の変動に対する回転数変動をおさえる。
　　　【０００６】
　　　本発明はかかる従来の問題を解決したもので、電源電圧の変動による送風機の回転数変動をなくし、排ガス特性及び吹き出し温風温度を安定させることを目的としたもである。
　
　　（２）　【００１９】
　　　一方、電源電圧が正常時より上昇した場合は、パルス幅Ｔは正常時に比べてせまくなるので、タイマー部３７からのカウントアップ出力は正常時に比べて遅れて出力されるので、位相角θXより大きな位相角となり、送風機１４の回転数が正常時と同じになるようにする。」
　　
　　（３）　以上によれば、引用例２には、「送風用電動機において、電源電圧を検出し、該電源電圧が正常時よりも上昇あるいは低下した時に、回転数の変動を抑える点」が記載されているものと認められる。
　
　２．３　引用例３
　　さらに原査定の拒絶の理由に引用された、本願発明の出願前の平成８年７月１６日に頒布の「特開平８−１８６９９４号公報」（以下「引用例３」という。）には、以下のような記載がある。　
　　（１）　「【０００２】
　　　【従来の技術】
　　　例えば電池を電源とする機器では、モータの駆動電源として、主に効率の点を考慮すると、電池の電圧をそのまま利用したいという事情がある。特に携帯用テープレコーダなどにおけるローディングのためのモータなどであって、回転速度管理が厳密に必要ない場合は、電池の電圧をそのまま利用したい。
　　　ところが電池の端子電圧は、例えば１．５Ｖ電池の場合で、１．７Ｖ〜０．９Ｖまで変化する。また電池を使用する機器でもＡＣアダプターを接続して商用交流電源を用いることができるようにする場合が多いが、ＡＣアダプターを用いた場合、例えば２Ｖ以上となることもある。」
　
　　（２）　「【０００３】
　　　これらの電源電圧変動があるため、電池電圧もしくはＡＣアダプターからの電圧をそのままモータの駆動電源とすると、モータ回転数はかなり変動することになり、さほど厳密な回転速度管理の必要ない部位のモータであっても、何らかの手段で回転数の安定化を計ることが必要になっている。このため従来は、厳密な回転速度管理の必要ないモータについても電源系に安定化電源回路を配して一定電力によるモータ駆動を実行するようにしたり、もしくはモータ定速回転サーボ系を構築するようにしていた。」
　
　　（３）　以上によれば、引用例３には、「厳密な速度管理の必要のないモータの駆動回路において、電源電圧が定格電圧よりも上昇あるいは低下しても回転数を安定化させる点」が記載されているものと認められる。
　
　３．　対比
　　３．１　本願発明と引用発明を対比すると、後者の「送風機」は、送風用のファンとモータから構成され、その「制御部」とは送風機を駆動する回路であるから、これら「送風機の制御部」は、前者の「ファンモータの駆動回路」に相当し、後者は、自動的に変化する位相角により送風機の回転数を制御しているから、この「位相角」は前者の「ファンモータの回転速度を決定する要素信号」に相当し、さらに後者は、位相角を制御することによって電源電圧が低下するに応じて回転速度が低下しても所定の電圧ｖｂを越えて低くなったとき正常電圧時の回転速度に復帰させる制御を行っているのであるから、この構成は、前者の「電源電圧が所定の値を越えた場合でもほぼ一定回転数となるよう制御可能な構成であること」に相当する。そして、後者の「電源電圧検出部」は、少なくとも電源電圧を検出して、その値が設定された基準値を越えて低下したとき、信号を出力するから、前者の「電源電圧検出手段」に対応する。
　
　　３．２　一致点
　　　両者は、
　　　「電源電圧値を検出し、その値が設定された基準値を越えたとき、信号を出力する電源電圧検出手段を具備し、該電源電圧検出手段の出力信号によりファンモータの回転速度を決定する要素信号を自動的に変化させて、電源電圧が所定の値を越えた場合でもほぼ一定回転数となるよう制御可能な構成であるファンモータの駆動回路。」
で一致し、次の点で相違する。
　
　　３．３　相違点
　　　本願発明の「電圧検出手段」は、「電源電圧値を検出し、その値が設定された定格電圧以上になったとき、電源電圧値と定格電圧値の差電圧に比例する電圧を出力する」ものであるのに対し、引用発明の電圧検出手段は、「電源電圧値ｖａを検出し、その値ｖａが設定された回転数補正基準電圧値ｖｂを越えて低くなったとき、回転数補正要求信号を出力する」ものである点。
　
４．　当審の判断
　４．１　上記相違点について検討する。
　　一般に電気器具等は、所定の定格どおりに使用することにより所望の特性が得られ、定格から外れて用いると不都合が生じるものであることは技術常識であり、そのために、一定の使用条件に保つための運転制御装置や、所定の運転条件から外れることのないようにそれを保護する装置を存在させることも自明のことにすぎない。
　　そして、精密な回転速度制御を必要としないモータにおいても、電源電圧の上昇または低下により大きく回転速度が変化したときに不都合を生じるとの課題、及びその課題解決手段は、上記引用例２及び３に記載のように周知のことにすぎないから、上記引用例２と同じ技術分野に属する引用発明においても、電源電圧が補正基準電圧よりも低下したときのほかに、又はこれに代えて、定格電圧以上で補正基準電圧を設定し、この補正基準電圧を越えた場合に回転数をほぼ一定に制御できる構成とすることも、当業者が適宜なし得る技術的事項である。
　　また、電動機の回転駆動回路において、測定電圧と基準電圧の差すなわち、誤差電圧に比例した制御信号を生成し、この制御信号に応じて電動機の状態が一定になるように制御する、いわゆる負帰還制御は周知のことにすぎないので、引用発明においても、送風機の回転数が一定となるように制御する際、電源電圧が補正基準電圧（所定値）を越えたとき、電源電圧検出部が回転数補正要求信号を出力する構成に代えて電源電圧と補正基準電圧の差電圧に比例する電圧を出力するように構成することは、送風機用モータの回転数をほぼ一定に維持する際に当業者が必要に応じて適宜なし得ることにすぎない。
　
　　そして、本願発明により奏される効果も、引用例１記載の発明及び周知技術から当然予測し得る事項にすぎない。
　
　４．２　請求人の主張について
　　請求人は、「本発明の請求項１では、用途をファンモータに限定し、ファンモータの回転数を電源電圧が定格電圧より上昇するとファンの回転数が増大し、ほぼ回転数の自乗に比例して消費電力が増大し、温度上昇が高くなり、ファン羽根の風切り音により騒音も著しく大きくなるというファンモータ特有の問題が存在する。本発明の目的は、そのファン特有の問題点を、極力簡易な方法で解決することにある。」（意見書２頁８行〜１４行）などと主張している。
　　しかしながら、一般に電動機において、印加電圧（電源電圧）が上昇すれば回転数が上昇し（上記２．２　引用例２の（２）には、電源電圧が正常時よりも上昇した場合はパルス幅を狭くする旨の記載があり、これにより回転の上昇を防いでいるものと認められ、また、上記２．３　引用例３の（２）における記載も、直接記載していないものの、高電圧が印加されれば、当然、高回転になるものと認められる。）、それに伴い、発熱、騒音等の問題も生じることはごく普通の現象にすぎず、ファンモータにおいても当然予測されることである。
　　また、電源電圧低下時の回転数低下による影響を引用発明のように防止するかあるいはしないかも、ファンモータを具体的にどのような用途に用いるかに応じて適宜取捨選択し得ることである。
　　さらに、ロータの回転数検出手段を備えない駆動回路としての具体的な回路構成にしても、格別のものとすることはできない。
　　故に、請求人の主張は採用できない。
　
５．　むすび
　したがって、本願発明は、引用例１記載の発明及び周知技術に基づいて当業者が容易に発明をすることができたものであるので、特許法第２９条第２項の規定により特許を受けることができない。
　よって、結論のとおり審決する。